(57)【要約】【課題】本発明の目的は、靴紐をもっとしっかりと締めることができる上、靴の着脱に対しても便利な巻取り装置付き靴を提供する。【解決手段】本発明は、アッパー上に２つのひも穴つまみが並列してある靴において、前記２つのひも穴つまみのいずれかの側辺に、少なくとも一つのひも通し穴が形成されたひも通し手段が設けられていて、前記ひも通し穴を経由して靴ひもを巻く巻取り装置と、前記２つのひも穴つまみ上のひも穴を順番に通し、且つ、通し中に、該巻取り装置の近くにある少なくとも一つのひも穴に代えて前記ひも通し穴を通して前記巻取り装置に巻き取られた靴ひもとを備えており、それにより、前記巻取り装置は前記ひも通し穴を経由して靴ひもを巻くことができる。【選択図】　　　図５
2004135875.tif 000002
【特許請求の範囲】
【請求項１】
アッパー上に２つのひも穴つまみが並列してある靴において、
前記２つのひも穴つまみのいずれかの側辺に、少なくとも一つのひも通し穴が形成されたひも通し手段が設けられていて、前記ひも通し穴を経由して靴ひもを巻く巻取り装置と、
前記２つのひも穴つまみ上のひも穴を順番に通し、且つ、通し中に、該巻取り装置の近くにある少なくとも一つのひも穴に代えて前記ひも通し穴を通して前記巻取り装置に巻き取られた靴ひもとを備えており、
それにより、前記巻取り装置は前記ひも通し穴を経由して靴ひもを巻くことができることを特徴とする巻取り装置付き靴。
【請求項２】
前記巻取り装置は、
前記２つのひも穴つまみのいずれかの上のひも穴列の側辺に敷設されてい底
板と、
前記底板上に設けられており、且つ、その側面に前記ひも通し手段が形成され、その上面に中心孔が形成されている中空体と、
前記中空体内の前記底板上のほぼ中央位置に回転可能に設けられている回転手段と、
前記中空体内に、前記回転手段に連結されていて、前記ひも通し手段の前記ひも通し穴を経由した靴紐を係止して前記回転手段と共に回転されて前記靴ひもを巻く靴ひも巻き手段と、
前記中空体内に、前記回転手段の上端と連結して前記中空体の中心孔から回転可能に突出している回転ボタンと、
その一端が前記回転ボタンに枢支されていて、前記回転ボタンを介して前記回転手段を回転させてから前記中空体に係止され得るレバーとからなることを特徴とする請求項１に記載の巻取り装置付き靴。
【請求項３】
前記巻取り装置は、前記回転ボタン及び前記レバーだけが前記２つのひも穴つまみのそれと対応する一つの外に突出する外、全ては前記底板と共に、前記対応のひも穴つまみと前記アッパーとの間に挟持固定されており、また、前記ひも通し手段は、前記対応のひも穴つまみのほぼ前記２つのひも通し穴に代えられた２つのひも穴のあるべき位置までに延伸突出してなる管体であることを特徴とする請求項２に記載の巻取り装置付き靴。
【請求項４】
前記回転手段は、前記底座のほぼ中央位置に形成された凹陥部から回転可能に突出している回転軸と、
前記回転軸に所定の間隔を開けて挿入されている複数の回転ディスクと、
前記複数の回転ディスクの間にそれぞれ介在している複数のリングとからなり、
また、前記ひも巻き手段は、前記複数の回転ディスクにそれぞれ形成された貫通孔を挿通しているピンと、前記複数の回転ディスクの間に介在し、且つ、前記ピンに挿入されている複数のブッシュとからなることを特徴とする請求項２に記載の巻取り装置付き靴。
【請求項５】
前記底板の前記凹陥部の内周縁に、前記凹陥部の径方向に延伸突出してなる位置止め部が形成されており、
且つ、前記回転軸の上端部が前記回転ボタンの下端部に連結されており、また、その下端縁に、前記回転軸の径方向に沿って制動部材が延伸突出していて、該制動部材と前記位置止め部との係止によって前記回転軸の前記凹陥部内に行う回転を止めることができることを特徴とする請求項２に記載の巻取り装置付き靴。
【請求項６】
前記レバーの他端に突体が設けられ、前記中空体の上面の前記中心孔の近傍に前記突体を係止する凹槽が形成されており、
また、前記回転ボタンの上面のほぼ中央位置に凹溝が径方向に沿って形成され、前記レバーは前記凹溝の一端側に前記凹溝内に嵌入係止され得るように枢止され、また、前記レバーの側面に２つの突起が形成され、前記凹溝内の両側に、前記レバーが前記凹溝内に嵌入係止されると、前記２つの突起とそれぞれ係止する２つの係止槽が形成されているを特徴とする請求項２に記載の靴。
【請求項７】
前記レバーの枢止端にリブが形成され、また、前記回転ボタン面の前記リブの対応位置に、前記リブを係止し、力を入れなければ前記レバーをその弾力に抗して回転することができない弾性部材が設けられていることを特徴とする請求項２に記載の巻取り装置付き靴。
【発明の詳細な説明】
【０００１】
【発明の属する技術分野】
本発明は靴に関し、さらに詳しくは巻取り装置付き靴に関する。
【０００２】
【従来の技術】
米国特許第５４６９６４０号に紐長さ快速調整デバイス付き靴が開示されている。図１に示すように、この靴は、従来のスポーツ靴と同じように、アッパー１上に２つのひも穴つまみ２，２が並列してあるが、更にも、調整シート３とベルクロファスナシート４とからなる紐長さ快速調整デバイスが付設されている。図示のように、調整シート３は、係止用スロット３０１と紐を挿通するための一対の通孔３０２とを有するように形成されたシート状のものである。ベルクロファスナシート４は、表面の一端側にループ構造があり、他端側にフック構造がある長条形のもので、その一端４１１がアッパー上の調整シート３の予定場所の傍に固定されている。そして、調整シート３は、一対の通孔３０２を一つのひも穴つまみ２における予定の一対の通孔２０１と照準して、靴紐５の紐孔５０１への交差挿通と共にアッパー１上に設置されている。このように、この靴を履く時、図２に示すように、ベルクロファスナシート４の他端４１２を調整シート３のスロット３０１を挿通してから引っ張り、当該他端表面のフック構造と前記一端表面にあるループ構造とを接触して連結させることにより、調整シート３を介して靴紐５を引っ張って、靴紐５を一層締めることができるが、靴紐の締める程度を上げる効果だけがあって、靴の履き脱ぎに対してはなんらの役にも立たず、まだまだ理想的とは言えない。
【０００３】
また、米国特許第４４１４７６１号には、図３及び図４に示すような靴が開示されている。この靴は、一見するところ、従来の、アッパー上に２つのひも穴つまみが並列してあるスポーツ靴とそっくり（図４参照）であるが、前記２つのひも穴つまみの一つは、他のひも穴つまみ７と並列するようにアッパー６上に固定されている雄ベルクロファスナ８１（フック構造）と、雄ベルクロファスナ８１と別体であって、それと粘着できる紐孔列付き雌ベルクロファスナ８２（ループ構造）とからなる。図示のように、靴紐９は紐孔列付き羽根７と雌ベルクロファスナシート８２との紐孔を順番に挿通して結ばれているが、通常は靴の飾りだけとされ、靴の履き脱ぎなどに使用されず、靴の履き脱ぎは一切雌ベルクロファスナ８２の雄ベルクロファスナ８１への着脱によるのである。即ち、この米国特許の靴は、雌ベルクロファスナ８２を引っ張って雄ベルクロファスナ８１に連結することにより、紐孔列付き羽根７と紐孔列付き雌ベルクロファスナシート８２とをきちんと靴上に配列することができるのみならず、靴紐を固く縛るが如く、靴を足にしっかりと履くこともできる。そして、靴を脱ごうとすれば、雌ベルクロファスナ８２と雄ベルクロファスナ８１との間の連結を解除することで済む。しかしながら、このような着脱構造では、走りや他の割に激しい運動をする場合、雌雄２ベルクロファスナ構造の間の連結は弛みやすくて、足が不意に靴から脱ぐ可能性があるので、スポーツ靴に適用しない。また、このような着脱構造では、ベルクロファスナ面に綿や塵などがつくと、雌雄２ベルクロファスナ構造の間の連結力が使用もできないほど弱くなる欠点もある。
【０００４】
【発明が解決しようとする課題】
上記に鑑みて、本発明の目的は、靴紐をもっとしっかりと締めることができる上、靴の着脱に対しても便利な巻取り装置付き靴を提供することにある。
【０００５】
【課題を解決するための手段】
上記目的を達成するために、本発明は、アッパー上に２つのひも穴つまみが並列してある靴において、前記２つのひも穴つまみのいずれかの側辺に、少なくとも一つのひも通し穴が形成されたひも通し手段が設けられていて、前記ひも通し穴を経由して靴ひもを巻く巻取り装置と、前記２つのひも穴つまみ上のひも穴を順番に通し、且つ、通し中に、該巻取り装置の近くにある少なくとも一つのひも穴に代えて前記ひも通し穴を通して前記巻取り装置に巻き取られた靴ひもとを備えており、それにより、前記巻取り装置は前記ひも通し穴を経由して靴ひもを巻くことができることを特徴とする巻取り装置付き靴を提供する。
【０００６】
このように構成されている靴は、前記巻取り装置に巻き取られた靴ひもを巻き取ることにより、前記巻取り装置外の靴ひもを引張って靴ひもをもっとしっかりと締めることができ、且つ、前記巻き取り装置に巻き取られた靴ひもを繰り出すことにより、靴ひもを緩めることができるので、靴の着脱が容易になる。
【０００７】
【発明の実施の形態】
以下、図面を参照しながら、本発明の巻取り装置付き靴の実施例を説明する。図５に示すように、本実施例における靴は、アッパー２００上に並列固定されている第１及び第２のひも穴つまみ２３０，２４０と、前記第２のひも穴つまみ上のひも穴列の側辺に、２つのひも通し穴１３１が形成されたひも通し手段１３が設けられていて、ひも通し穴１３１を経由して靴ひもを巻く巻取り装置１００と、前記２つのひも穴つまみ２３０，２４０上のひも穴２６０，２７０を順番に通し、且つ、通し中に、巻取り装置１００の近くにある２つのひも穴に代えてひも通し穴１３１を通して巻取り装置１００に巻き取られた靴ひも３００とを備えている。
【０００８】
図６に示すように、巻取り装置１００は、主として、底板１１と、ひも通中空体１２と、ひも通し手段１３と、回転手段２０と、靴ひも巻き手段２４と、回転ボタン３０と、レバー４０とからなる。底板１１は、ひも穴つまみ２４０のひも列の側辺に敷設されている。中空体１２は、底板１１上に設けられており、且つ、その側面１２１にひも通し手段１３が形成され、その上面１２２に中心孔１２３が形成されている。回転手段２０は、中空体１２内の底板１１上のほぼ中央位置に回転可能に設けられている。靴ひも巻き手段２４は、中空体１２内に、回転手段２０に連結されていて、ひも通し手段１３のひも通し穴１３１を経由した靴紐３００を係止して回転手段２０と共に回転されて靴ひも３００を巻く。回転ボタン３０は、中空体１２内に、回転手段２０の上端と連結して中空体１２の中心孔１２３から回転可能に突出している。レバー４０は、その一端４１が回転ボタン３０に枢支されていて、回転ボタン３０を介して回転手段２０を回転させてから中空体１２に係止され得る。
【０００９】
また、巻取り装置１００は、回転ボタン３０及びレバー４０だけが第２のひも穴つまみ２４０の外に突出する外、全ては底板１１と共に、対応のひも穴つまみ２４０とアッパー２００との間に挟持固定されている。また、ひも通し手段１３は、対応のひも穴つまみ２４０のほぼ２つのひも通し穴１３１に代えられた２つのひも穴のあるべき位置までに延伸突出してなる管体である。本実施例における巻取り装置１００は、図示のように、一部がひも穴つまみ２４０とアッパー２００との間に埋設されているが、これに限らず、その全体がひも穴つまみ２４０上に設けられてもよい。
【００１０】
また、回転手段２０は、底座１１のほぼ中央位置に形成された凹陥部１１１から回転可能に突出している回転軸２１と、回転軸２１に所定の間隔を開けて挿入されている３の回転ディスク２２と、前記複数の回転ディスクの間にそれぞれ介在している２つのリング２３とからなる。また、ひも巻き手段２４は、３つの回転ディスク２２にそれぞれ形成された貫通孔２２２を挿通しているピン２４１と、３つの回転ディスク２２の間に介在し、且つ、ピン２４１に挿入されている２つのブッシュ２４２とからなる。
【００１１】
そして、底板１１の凹陥部１１１の内周縁に、凹陥部１１１の径方向に延伸突出してなる位置止め部１１２が形成されている。且つ、回転軸２１の上端部２１２がねじ３４を介して回転ボタン３０の下端部３２に連結されている。また、回転軸２１の下端縁２１１に、回転軸２１の径方向に沿って制動部材２１３が延伸突出していて、制動部材２１３と位置止め部１１２との係止によって回転軸２１の凹陥部１１１内に行う回転を止めることができる。
【００１２】
レバー４０の他端４２に突体４２１が設けられ、中空体１２の上面１２２の中心孔１２３の近傍に突体４２１を係止する凹槽１２４が形成されている。また、回転ボタン３０の上面３１のほぼ中央位置に凹溝３３が径方向に沿って形成され、レバー４０は凹溝３３の一端側に凹溝３３内に嵌入係止され得るように枢止され、また、レバー４０の側面４３に２つの突起４３１が形成され、凹溝３３内の両側に、レバー４０が凹溝３３０内に嵌入係止されると、２つの突起４３１とそれぞれ係止する２つの係止槽３３２が形成されている。
【００１３】
そして、レバー４０の枢止端４１にリブ４１１が形成されている。また、回転ボタン面のリブ４１１の対応位置に、リブ４１１を係止し、力を入れなければレバー４０をその弾力に抗して回転することができない弾性部材３３３が設けられている。
【００１４】
このように、始めて靴を履く場合、図７乃至図９に示すように、レバー４０で回転ボタン３０を回転させると共に回転軸２１を回転させることにより、ひも通し穴１３１を経由して靴ひも巻き手段２４に巻き込まれた靴ひもを引っ張って、靴紐３００をしっかりと締めることができ、且つ、レバー４０を凹溝３３に嵌入係止すると共に、２つの突起４３１をそれぞれ係止槽３３２に嵌入係止し、突体４２１を凹槽１２４に係止することにより、回転ボタン３０の回転を止め、回転手段２０の反転を防止し、靴をしっかりと足に履くことができる。
【００１５】
着用者が靴を脱ぐことを所望する場合に、図１０に示すように、２つの突起４３１の係止槽３３２への係止及び突体４２１の凹槽１２４への係止を解除することにより、回転ボタン３０の回転止めを解除させる。この場合、レバー４０は、リブ４１１が回転ボタン３０の弾性部材３３３に係止されて更に回転することができない。続いて、図１２に示すように、足部を少々ひねて靴から出す力により、靴ひも通し手段２４に巻き取られた靴ひも３００を緩めて制動部材２１３と位置止め部１１２とを互いに係止するまで回転手段２０を反転させることにより、靴ひも巻き手段２４に巻き取られた靴ひも３００をひも通し穴１３１から繰り出して靴ひも３００を緩めて第１及び第２のひも穴つまみ２３０，２４０もそれに対応して緩められるので、足を靴から容易に脱ぐことができる。
【００１６】
逆に、着用者が靴を再度に履くことを所望する場合に、図１１に示すように、レバー４０に力を入れてレバー４０をその弾力に抗して回転ボタン３０と同一の水平面にあるように回転させ、レバーで回転手段２０を回転させることにより、靴ひも３００を再度に巻取り装置１００内に巻き込み、靴ひも３００をしっかりと締めることができる。
【００１７】
【発明の効果】
上記のように、本発明の巻取り装置付き靴は、巻取り装置に巻き取られた靴ひもを巻き取ることにより、前記巻取り装置外の靴ひもを引張って靴ひもをもっとしっかりと締めることができ、且つ、前記巻き取り装置に巻き取られた靴ひもを繰り出すことにより、靴ひもを緩めることができるので、靴の着脱が容易になる。
【図面の簡単な説明】
【図１】従来の紐長さ快速調整デバイス付き靴を示す斜視図である。
【図２】前記紐長さ快速調整デバイス付き靴の一部を示す断面図である。
【図３】従来の他の靴を示す斜視図である。
【図４】前記従来の他の靴を示す斜視図である。
【図５】本発明の実施例における巻取り装置付き靴を示す上面図である。
【図６】前記実施例における巻取り装置を示す分解図である。
【図７】前記実施例における巻取り装置が靴ひもを巻き取った状態を示す上面図である。
【図８】前記実施例における巻取り装置が靴ひもを巻き取った状態を示す断面図である。
【図９】前記図８の９−９の断面図である。
【図１０】前記実施例におけるレバーの回転ボタンへの係止が解除された状態を示す断面図である。
【図１１】前記実施例におけるレバーの回転ボタンへの回転状態を示す断面図である。
【図１２】前記実施例における巻取り装置が靴ひもを繰り出した状態を示す断面図である。
【符号の説明】
１１　　底板
１１１　凹陥部
１１２　位置止め部
１２　　中空体
１２１　中空体の側面
１２２　中空体の上面
１２３　中心孔
１２４　凹槽
１３　　ひも通し手段
１３１　ひも通し穴
２０　　回転手段
２１　　回転軸
２１１　回転軸の下端縁
２１２　回転軸の上端部
２１３　制動部材
２２　　回転ディスク
２２２　貫通孔
２３　　リング
２４　　ひも巻き手段
２４１　ピン
２４２　ブッシュ
２００　アッパー
２３０　第１のひも穴つまみ
２４０　第２のひも穴つまみ
２６０、２７０　ひも穴
３０　　回転ボタン
３１　　回転ボタンの上面
３２　　回転ボタンの下端部
３３　　凹溝
３３２　係止槽
３３３　弾性部材
３４　　ねじ
４０　　レバー
４１　　レバーの一端
４１１　リブ
４２　　レバーの他端
４２１　突体
４３　　レバーの側面
４３１　突起
【図１】
2004135875.tif 000003
【図２】
2004135875.tif 000004
【図３】
2004135875.tif 000005
【図４】
2004135875.tif 000006
【図５】
2004135875.tif 000007
【図６】
2004135875.tif 000008
【図７】
2004135875.tif 000009
【図８】
2004135875.tif 000010
【図９】
2004135875.tif 000011
【図１０】
2004135875.tif 000012
【図１１】
2004135875.tif 000013
【図１２】
2004135875.tif 000014